(57)【要約】【課題】梱包された蓄電池用セパレータ又はガラスマット製品のリーフ状製品シートを、該製品シートに変形、キズ等の損傷を与えることなく、迅速、且つ、容易に作業性良く取り出すことができ、更に、開梱作業時に該製品シートによって怪我をする虞が少ない梱包方法を提供する。【解決手段】複数の蓄電池用セパレータ又はガラスマット製品のリーフ状シートを積層状態にして、梱包箱の底面に対して前記リーフ状シートが垂直、或いは、水平状態となるように前記梱包箱内に規則正しく収納する梱包方法であって、前記積層状態のリーフ状シートの少なくとも一群に対して、帯状テープを前記梱包箱の底面側を通して巻き回し、その両端部を把持片となるようにして前記梱包箱の取出口側に位置させるようにしたことを特徴とする。【選択図】  図１
2004299742.tif 000002
【特許請求の範囲】
【請求項１】
複数の蓄電池用セパレータ又はガラスマット製品のリーフ状シートを積層状態にして、梱包箱の底面に対して前記リーフ状シートが垂直、或いは、水平状態となるように前記梱包箱内に規則正しく収納する梱包方法であって、前記積層状態のリーフ状シートの少なくとも一群に対して、帯状テープを前記梱包箱の底面側を通して巻き回し、その両端部を把持片となるようにして前記梱包箱の取出口側に位置させるようにしたことを特徴とする蓄電池用セパレータ又はガラスマット製品の梱包方法。
【請求項２】
前記帯状テープは、紙、ポリエチレン又はポリプロピレン製であることを特徴とする請求項１記載の蓄電池用セパレータ又はガラスマット製品の梱包方法。
【請求項３】
前記リーフ状シートは、繊維主体層を少なくとも１層含むものであることを特徴とする請求項１又は２記載の蓄電池用セパレータ又はガラスマット製品の梱包方法。
【請求項４】
前記積層状態のリーフ状シートの一群に前記帯状テープを巻き回し後、該リーフ状シートの一群が前記リーフ状シートの厚み方向に押圧状態となるように該帯状テープの終端部同士を止着したことを特徴とする請求項３記載の蓄電池用セパレータ又はガラスマット製品の梱包方法。
【発明の詳細な説明】
【０００１】
【発明の属する技術分野】
本発明は、リーフ状形態の蓄電池用セパレータ又は蓄電池用ガラスマット製品を、中箱を用いたり包装したりすることなく裸のまま箱詰め梱包する方法に関する。更に、詳しくは、不織布、或いは、マットといった不織繊維主体層を少なくとも１層含む蓄電池用セパレータ又は蓄電池用ガラスマット製品の梱包方法における内容物の取出性の改善に関する。
【０００２】
【従来の技術】
従来、このような蓄電池用セパレータ又はガラスマット製品の梱包方法としては、例えば、図３（ａ）に示すように、蓄電池用セパレータ又はガラスマット製品のリーフ状製品シート２を積層状態にして、梱包箱１の底面１ａに対してリーフ状製品シート２が垂直状態となるように、梱包箱１内に収納したり、或いは、同図（ｂ）に示すように、リーフ状製品シート２を積層状態にして、梱包箱１の底面１ａに対してリーフ状製品シート２が水平状態となるようにして山２Ｍを形成し、この山２Ｍを梱包箱１内に複数隣接して収納する方法があった。
【０００３】
しかしながら、通常、このような製品梱包においては、梱包効率を上げるため、蓄電池用セパレータ又はガラスマットの製品寸法に合わせた梱包箱１を使用しているとともに、梱包箱１内には、蓄電池用セパレータ又はガラスマット製品を殆ど隙間なくびっしり詰め込むようにしていることから、前者の場合の垂直状態に積層されたリーフ状製品シート２，２間や、後者の場合の水平状態に積層されたリーフ状製品シートの山２Ｍ，２Ｍ間は、いずれも隙間が殆ど無い状態となっている。このため、開梱して製品を取り出す際に、非常に取り出しにくいという問題があった。また、無理矢理取り出そうとすると、製品シート２に意図しない負荷がかかり、変形、キズ、破損等の損傷を与える虞があった。尚、蓄電池用セパレータやガラスマットといった製品は、通常、不織布、或いは、マットといった不織繊維層で出来ているため、軽い負荷であっても上記のような損傷を非常に受け易く、また、損傷を受けると製品として使用できず不良品となってしまうという性格のものである。更に、また、前記隙間に手を挿入する際に、製品シート２を構成するガラス繊維等の繊維が手に刺さる等して怪我をする虞があった。尚、不織布、或いは、マットといった不織繊維層からなるこのような製品シートの場合、一般に、繊維の比較的細い繊維層で出来ている製品シートでは、上記のような損傷を受け易く、また、繊維の比較的太い繊維層で出来ている製品シートでは、上記のような手に刺さる等の怪我を受け易い。
【０００４】
【発明が解決しようとする課題】
そこで、本発明は、上記従来の問題点に鑑み、梱包された蓄電池用セパレータ又はガラスマット製品のリーフ状製品シートを、該製品シートに変形、キズ等の損傷を与えることなく、迅速、且つ、容易に作業性良く取り出すことができ、更に、開梱作業時に該製品シートによって怪我をする虞が少ない梱包方法を提供することを目的とする。
【０００５】
【課題を解決するための手段】
本発明の蓄電池用セパレータ又はガラスマット製品の梱包方法は、前記目的を達成するべく、請求項１に記載の通り、複数の蓄電池用セパレータ又はガラスマット製品のリーフ状シートを積層状態にして、梱包箱の底面に対して前記リーフ状シートが垂直、或いは、水平状態となるように前記梱包箱内に規則正しく収納する梱包方法であって、前記積層状態のリーフ状シートの少なくとも一群に対して、帯状テープを前記梱包箱の底面側を通して巻き回し、その両端部を把持片となるようにして前記梱包箱の取出口側に位置させるようにしたことを特徴とする。
また、請求項２記載の蓄電池用セパレータ又はガラスマット製品の梱包方法は、請求項１記載の梱包方法において、前記帯状テープは、紙、ポリエチレン又はポリプロピレン製であることを特徴とする。
また、請求項３記載の蓄電池用セパレータ又はガラスマット製品の梱包方法は、請求項１又は２記載の梱包方法において、前記リーフ状シートは、繊維主体層を少なくとも１層含むものであることを特徴とする。
また、請求項４記載の蓄電池用セパレータ又はガラスマット製品の梱包方法は、請求項３記載の梱包方法において、前記積層状態のリーフ状シートの一群に前記帯状テープを巻き回し後、該リーフ状シートの一群が前記リーフ状シートの厚み方向に押圧状態となるように該帯状テープの終端部同士を止着したことを特徴とする。
【０００６】
【発明の実施の形態】
上記した梱包方法に使用される梱包箱は、蓄電池用セパレータ又はガラスマット製品シートの荷重や、該製品シートを詰め込む際の梱包箱内側から外側に加えられる圧力に耐えられるような材質及び構造であれば、特に限定するものではない。この一例として、段ボール箱が挙げられる。
【０００７】
前記梱包箱に収納される蓄電池用セパレータ又はガラスマット製品は、蓄電池の電極間の隔離、電解液の保持、セパレータや電極板表面の保護といった目的で使用されるもので、一般に、不織布、或いは、マットといった繊維を主体構成としてなる不織繊維層を少なくとも１層含むものである。不織繊維層を形成する繊維としては、ガラス繊維が一般的である。
前記ガラス繊維の太さは、上記目的別に、細い繊維と太い繊維を使い分ける。例えば、蓄電池用ガラスマットは、セパレータや極板表面の保護といった目的で、通常セパレータと併用されるものであるが、電気抵抗や電解液流動性を阻害しないこととある程度の弾力性が要求されるため、比較的太い繊維が用いられる。また、電解液の保持を目的とした蓄電池用セパレータでは、高い保液性が要求されるため、比較的細い繊維が用いられる。更に、電解液の保持というよりは電極間の隔離のみが主目的の蓄電池用セパレータでは、これらの中間の太さの繊維が用いられる。
尚、前記蓄電池用セパレータとしては、例えばパルプを主体構成としてなる紙セパレータと前記ガラスマットとを貼合せ等により一体化してなる積層形態のセパレータも含まれる。
前記蓄電池用セパレータ又はガラスマット製品のリーフ状製品シートの大きさは、使用される蓄電池によって様々なものがあるが、一般的には、幅１００〜２００ｍｍ、高さ１００〜４００ｍｍ、厚さ０．５〜３．０ｍｍの範囲のものが挙げられる。
【０００８】
前記蓄電池用セパレータ又はガラスマット製品のリーフ状製品シートは、一般的には、積層状態で、梱包箱の底面に対して垂直状態となるように、梱包箱内に収納するか、或いは、積層状態で、梱包箱の底面に対して水平状態となるようにして山を形成し、この山を梱包箱内に複数隣接して収納する。尚、本発明において、垂直状態乃至水平状態とは、リーフ状製品シートの方向を示すために使用しており、必ずしも厳密な角度までも規定するものではない。
そして、本発明では、このように梱包箱内に積層状態にして収納されるリーフ状製品シートの少なくとも一群、即ち、前記垂直状態に積層されるリーフ状製品シートの少なくとも一部、或いは、前記水平状態に積層されるリーフ状製品シートの山の少なくとも１山に対して、帯状テープを梱包箱の底面側を通すようにして巻き回し、その両端部を把持片として梱包箱の取出口側に位置させるようにするものである。
これにより、開梱時に前記把持片を持ち上げるだけで、帯状テープが通された一群の製品シートを取り出すことができる。
尚、前記製品シートが、例えば、蓄電池用ガラスマットのように、不織布、或いは、マットといった繊維主体層を少なくとも１層有し、ある程度の厚み方向の弾力性を有するものである場合には、開梱時に帯状テープの把持片を持ち上げて一群の製品シートを取り出そうとする際、巻き回した帯状テープから製品シートが滑り落ちてしまう虞がある。このため、このような弾力性を有する製品シートの場合には、前記積層状態の製品シートの一群に前記帯状テープを巻き回し後、該製品シートの一群が前記製品シートの厚み方向に押圧状態となるように該帯状テープの終端部同士を止着しておくようにするのが好ましい。
【０００９】
尚、前記帯状テープとしては、積層状態の製品シートを束ねるようにして梱包箱の底面側を通して巻き回すことができ、その両端部を手で把持して持ち上げるのに十分な長さと、前記把持片を持ち上げても製品シートの重さにより切れたりしない程度の強度を有しているものであれば、その材質や形状については特に限定するものではない。しかしながら、蓄電池用セパレータ又はガラスマット製品は、一般にガラス繊維を主体構成とするものであるため、製品搬送中の振動等による帯状テープと該製品シートとの接触により、該テープが切れたりしないような配慮も必要である。このため、帯状テープとしては、紙、ポリエチレン又はポリプロピレン製のテープを使用することが好ましい。
また、前記テープの形状としては、前記従来のような開梱後の製品取出時の諸問題を解決し、上記のように取出性を改善できるようにすればよいことから、本来は、紐状、或いは、糸状のものでも構わないが、前記したように、蓄電池用セパレータやガラスマットといった製品は、通常、不織布、或いは、マットといった不織繊維層で出来ており、軽い負荷であっても変形、キズ等の損傷を非常に受け易く、また、損傷を受けると製品として使用できず不良品となってしまうものであることから、製品シート群にテープを巻き回す際や、テープによって製品シート群が押圧状態に縛られている際や、開梱後にテープを持ち上げて製品を取り出す際等においては、テープにより製品シート側に圧力がかかり製品を損傷させてしまう虞があることに配慮し、加圧による損傷の発生を和らげるため、特に、前記テープは帯状のものを用いるようにしている。
また、同様の意味から、前記したように、帯状テープの止着により一群の製品シートを押圧状態に縛るようにする場合には、製品シートに損傷を与えないよう、あまり強く縛り付け過ぎないようにする必要がある。
【００１０】
【実施例】
次に、本発明の実施例を図面を参照して詳細に説明するが、本発明はこの例に限定されるものではない。
【００１１】
（実施例１）
図１は、本発明の梱包方法の一実施例を説明するための図であって、図中１で示されるものは梱包箱、２は蓄電池用セパレータのリーフ状製品シート、３は帯状テープである。
梱包箱１として幅３２０ｍｍ（内寸、以下同じ）、長さ５９０ｍｍ、高さ４２０ｍｍの段ボール箱を使用した。また、梱包箱１に収納する蓄電池用セパレータのリーフ状製品シート２としては、幅１５０ｍｍ、高さ１２０ｍｍ、厚さ１．５ｍｍ（１９．６ｋＰａ加圧時）のガラス繊維製のものを使用した。
本実施例においては、２７２枚のリーフ状製品シート２を、同図に示すように、梱包箱１の底面１ａに対して、垂直状態となるように、即ち、立てた状態で厚み方向に同列に積層して配置し、この列を同一高さ面に合計２列配置するようにして、更に、これを高さ方向に上、中、下３段配置するようにして、計１６３２枚のリーフ状製品シート２を梱包箱１内に収納するようにした。尚、各段の間には、段ボール板を介装させた。
前記厚み方向に同列に積層されたリーフ状製品シートのうちの一部、本実施例では３０枚のリーフ状製品シート２Ｐに対して、幅５０ｍｍ、長さ４５０ｍｍの紙製の帯状テープ３を、梱包箱１の底面側を通して巻き回し、その両端部３ａ，３ａを把持片となるようにして梱包箱１の取出口側に位置させるようにした。つまり、本実施例では、同列に積層されたリーフ状製品シートの１列（２７２枚）毎、つまり計６列に対して、同様の操作を行い、同列に積層されたリーフ状製品シートの１列に付き少なくとも１箇所に把持片３ａが配置されるようにした。
このようにして梱包されたリーフ状製品シート２は、開梱時、まず、前記帯状テープ３が巻き回された一群のリーフ状製品シート２Ｐを把持片３ａ，３ａを持ち上げることにより容易に抜き取ることができる。そして、抜き取った後にできた空間から、手を入れて残りのリーフ状製品シート２を次々と取り出すことができる。
尚、本実施例では、帯状テープ３は、同列に積層されたリーフ状製品シートの１列のうちの一部２Ｐにのみ通して巻き回すようにしたものであるが、同じ列の他の部分に対しても通して巻き回すようにしてもよい。また、同列に積層されたリーフ状製品シートの１列に帯状テープ３が通される位置についても、その先端部、中間部又は後端部のいずれであってもよい。
【００１２】
（実施例２）
図２は、本発明の梱包方法の他の実施例を説明するための図であって、梱包箱１、蓄電池用セパレータのリーフ状製品シート２、帯状テープ３は、前記した実施例１と同じものを使用した。ただし、梱包箱１の長さは５００ｍｍ、リーフ状製品シート２の厚さは０．５ｍｍ（１９．６ｋＰａ加圧時）、帯状テープ３の長さは７２０ｍｍにそれぞれ変更した。
本実施例では、同図に示すように、リーフ状製品シート２の２５０枚を、梱包箱１の底面１ａに対して、水平状態となるように、即ち、平積み状態で厚み方向に同列に積層して配置し、この平積み状態とされた山２Ｍを同一高さ面に２行４列にして隣接して配置し、これを高さ方向に上、下２段配置するようにして、計４０００枚のリーフ状製品シート２を梱包箱１内に収納するようにした。尚、各段の間には、段ボール板を介装させた。
前記山２Ｍを梱包箱１へ収納する際、同一高さ面に配置した２行４列の山２Ｍうちの１つの山２Ｍに対して、帯状テープ３を梱包箱１の底面側を通して巻き回し、その両端部３ａ，３ａを把持片となるようにして梱包箱１の取出口側に位置させるようにした。つまり、本実施例では、２行４列の山２Ｍが同一高さ面に配置された上、下各段に付き１山ずつ、計２山に対して、同様の操作を行った。
このようにして梱包されたリーフ状製品シート２は、開梱時、まず、帯状テープ３を通して巻き回された山２Ｍを把持片３ａ，３ａを持ち上げることにより容易に抜き取ることができる。そして、抜き取った後にできた空間から、残りの山２Ｍを次々と取り出すことができる。
尚、本実施例では、帯状テープ３は、平積みしたリーフ状製品シート２の各段の２行４列、計８個の山２Ｍのうちの１山のみに対して通して巻き回すようにしたが、帯状テープ３が通される山は複数であってもよい。また、帯状テープ３を通して巻き回す山の位置についても任意である。尚、すべての山２Ｍに対して帯状テープ３を通して巻き回すようにした場合には、梱包作業性、梱包時間、梱包費用等の面では不利となるものの、開梱時においては、製品シートへの損傷の危険性が殆どゼロとなるとともに、製品取り出しが容易となり、取出作業時間も短縮されるなど開梱作業性も大幅に向上する等のメリットがもたらされる。
【００１３】
【発明の効果】
以上詳述したように、本発明によれば、梱包された蓄電池用セパレータ又はガラスマット製品のリーフ状製品シートを、該製品シートに変形、キズ等の損傷を与えることなしに、迅速、且つ、容易に作業性良く取り出すことができ、更に、開梱時に手や指を無理矢理、製品シート間、或いは、製品シートが平積みされた山間の隙間に挿入する必要がなくなるため怪我をする虞が少ない。
【図面の簡単な説明】
【図１】本発明の梱包方法の一実施例を説明するための説明図
【図２】本発明の梱包方法の他の実施例を説明するための説明図
【図３】（ａ）、（ｂ）ともに従来の梱包方法を説明するための説明図
【符号の説明】
１    梱包箱
１ａ  梱包箱の底面
２    蓄電池用セパレータ又はガラスマット製品のリーフ状製品シート
２Ｐ  帯状テープが巻き回された一群のリーフ状製品シート
２Ｍ  平積みされたリーフ状製品シートの山
３    帯状テープ
３ａ  把持片
【図１】
2004299742.tif 000003
【図２】
2004299742.tif 000004
【図３】
2004299742.tif 000005